(57)【特許請求の範囲】
【請求項１】
ディスク及びカートリッジを選択的に装着することができるトレイと、前記トレイに載置されたスライダと、前記ディスクまたは前記カートリッジ内に設けられたディスクを保持して回転する回転駆動部と、前記ディスクの回転によって発生した振動が前記トレイを介して前記スライダに伝達されることによって生じるスライダの振動量を防止するために、前記スライダ及び前記トレイのいずれか一方に設けられた振動防止構造とを備えることを特徴とするディスク装置。
【請求項２】
請求項１記載のディスク装置において、前記振動防止構造は前記スライダを前記トレイに安定して載置するための位置決め構造であることを特徴とするディスク装置。
【請求項３】
請求項２記載のディスク装置において、前記位置決め構造は前記スライダに設けられた複数の突起部であることを特徴とするディスク装置。
【請求項４】
請求項２記載のディスク装置において、前記位置決め構造は前記トレイに設けられた複数の突起部であることを特徴とするディスク装置。
【請求項５】
請求項１記載のディスク装置において、前記振動防止構造は前記スライダに設けられた撓み部であり、前記スライダを前記トレイとプレートの間に配置し、前記撓み部によって前記スライダを前記トレイと前記プレートの間に弾性的に保持することを特徴とするディスク装置。
【請求項６】
請求項１記載のディスク装置において、前記振動防止構造は前記スライダに設けられた弾性部材であり、前記スライダを前記トレイとプレートの間に配置し、前記弾性部材を前記プレートに接触させ、前記スライダを前記トレイと前記プレートとの間に弾性的に保持することを特徴とするディスク装置。
【請求項７】
請求項１記載のディスク装置において、前記スライダを前記トレイとプレートの間に配置し、前記振動防止構造は前記プレートに設けられた弾性部材であり、前記弾性部材を前記スライダに接触させ、前記スライダを前記トレイと前記プレートとの間に弾性的に保持することを特徴とするディスク装置。
【請求項８】
ディスクまたはカートリッジを装着するトレイと、前記トレイに前記カートリッジが装着されたとき前記カートリッジ装着を可能とする方向に移動するスライダと、前記トレイを装置内部の所定位置まで搬送するローディング機構と、前記ディスクまたは前記カートリッジ内ディスクを保持して回転する回転駆動部と、前記ディスクに情報信号を記録再生する検出器とを備えたディスク装置であって、
前記スライダに振動防止部を設けると共に、前記ローディング機構が前記トレイを装置内の所定位置に装着し前記回転駆動部が前記ディスクまたは前記カートリッジ内ディスクを高速回転した状態において、前記振動防止部は前記スライダの振動量を所定値以下に抑制するように構成されていることを特徴とするディスク装置。
【請求項９】
請求項８に記載のディスク装置において、前記振動防止部は前記スライダに位置決め部を設けた構成であり、前記位置決め部は前記スライダ自体の振動量を所定値以下に抑制するように構成されていることを特徴とするディスク装置。
【請求項１０】
請求項８に記載のディスク装置において、前記振動防止部は前記スライダ自体に備えた撓みによって前記スライダとディスク装置の一部とを接触させ前記スライダ自体の振動量を所定値以下に抑制するように構成されていることを特徴とするディスク装置。
【請求項１１】
請求項８に記載のディスク装置において、前記振動防止部は前記スライダの一部に撓み部を設けた構成であり、前記撓み部はディスク装置の一部と接触して前記スライダ自体の振動量を所定値以下に抑制するように構成されていることを特徴とするディスク装置。
【発明の詳細な説明】
【０００１】
【発明の属する技術分野】
本発明はディスク装置、特に、トレイローディング方式のディスク装置において、ディスクへの記録再生時に発生する振動およびその振動によって発生する騒音を低減する振動防止手段を備えたディスク装置に関する。
【０００２】
【従来の技術】
従来、この種のディスク装置としては特開平１０−０１１９５号公報に記載されたように装置本体とケーシング（装置枠）との間に緩衝部材を設け、この緩衝部材により高速回転ディスクの振動、騒音を低減した構成が知られている。
【０００３】
【発明が解決しようとする課題】
上記従来の技術は緩衝部材により振動を低減するもので所定の課題に対し所定の目的を達成している点で問題はないが、同一のトレイにディスクとカートリッジを選択的に装着するタイプのディスク装置においては十分な効果を期待することはできない。すなわち、ディスクとカートリッジを選択的にトレイに装着し、そのトレイを装置内の所定位置まで導くように構成されたディスク装置では、トレイにカートリッジを収納させる必要があることからトレイ自体が大きくなってしまうため、振動低減に有利な大型の緩衝部材を収納することが困難であった。また、このようなトレイにおいてはカートリッジを装着するためにカートリッジと共に移動するスライダを設ける必要があり、このようなトレイにおいてはトレイだけでなくスライダも振動して共振音を発生すると言う問題がある。
【０００４】
本発明の目的は同一のトレイにディスクとカートリッジを選択的に装着するタイプのディスク装置において、振動を低減した信頼性の高いディスク装置を提供することにある。
【０００５】
【問題点を解決するための手段】
上記目的を達成するために、本発明では、ディスクまたはカートリッジを装着するトレイと、前記トレイに前記カートリッジが装着されたとき前記カートリッジ装着を可能とする方向に移動するスライダと、前記トレイを装置内部の所定位置まで搬送するローディング機構と、前記ディスクまたは前記カートリッジ内ディスクを保持して回転する回転駆動部と、前記ディスクに情報信号を記録再生する検出器とを備えたディスク装置において、前記スライダに振動防止部を設けると共に、前記ローディング機構が前記トレイを装置内の所定位置に装着し前記回転駆動部が前記ディスクまたはカートリッジ内ディスクを高速回転した状態において、振動防止部がスライダの振動量を所定値以下に制御する構成とした。
【０００６】
さらに、本発明の目的を達成するために、第１の発明では、ディスク装置は、ディスク及びカートリッジを選択的に装着することができるトレイと、前記トレイをローディング位置まで移動させるためのスライダと、前記ディスクまたは前記カートリッジ内に設けられたディスクを保持して回転する回転駆動部と、前記ディスクの回転によって発生した振動が前記トレイを介して前記スライダに伝達されることによって生じるスライダの振動量を防止するために、前記スライダ及び前記トレイのいずれか一方に設けられた振動防止構造とを備える。
第１の発明において、前記振動防止構造は前記スライダを前記トレイに安定して載置するための位置決め構造である。前記位置決め構造は前記スライダに設けられた複数の突起部である。又は、前記位置決め構造は前記トレイに設けられた複数の突起部である。
【０００７】
第１の発明において、前記振動防止構造は前記スライダに設けられた撓み部であり、前記スライダを前記トレイとプレートの間に配置し、前記撓み部によって前記スライダを前記トレイと前記プレートの間に弾性的に保持するように構成される。又は、前記振動防止構造は前記スライダに設けられた弾性部材であり、前記スライダを前記トレイとプレートの間に配置し、前記弾性部材を前記プレートに接触させ、前記スライダを前記トレイと前記プレートとの間に弾性的に保持するように構成される。また、前記スライダを前記トレイとプレートの間に配置し、前記振動防止構造は前記プレートに設けられた弾性部材であり、前記弾性部材を前記スライダに接触させ、前記スライダを前記トレイと前記プレートとの間に弾性的に保持するように構成される。
【０００８】
第２の発明では、ディスクまたはカートリッジを装着するトレイと、前記トレイに前記カートリッジが装着されたとき前記カートリッジ装着を可能とする方向に移動するスライダと、前記トレイを装置内部の所定位置まで搬送するローディング機構と、前記ディスクまたは前記カートリッジ内ディスクを保持して回転する回転駆動部と、前記ディスクに情報信号を記録再生する検出器とを備えたディスク装置であって、前記スライダに振動防止部を設けると共に、前記ローディング機構が前記トレイを装置内の所定位置に装着し前記回転駆動部が前記ディスクまたは前記カートリッジ内ディスクを高速回転した状態において、前記振動防止部は前記スライダの振動量を所定値以下に抑制するように構成されている。
第２の発明において、前記振動防止部は前記スライダに位置決め部を設けた構成であり、前記位置決め部は前記スライダ自体の振動量を所定値以下に抑制するように構成されている。また、前記振動防止部は前記スライダ自体に備えた撓みによって前記スライダとディスク装置の一部とを接触させ前記スライダ自体の振動量を所定値以下に抑制するように構成されている。また、前記振動防止部は前記スライダの一部に撓み部を設けた構成であり、前記撓み部はディスク装置の一部と接触して前記スライダ自体の振動量を所定値以下に抑制するように構成されている。
【００１１】
【発明の実施の形態】
以下、本発明の実施の形態について、幾つかの実施例を用い、図を参照して説明する。
図２は従来のスライダとトレイの構成を示す断面図である。図において、２はトレイ、６はトッププレート、１４はスライダ、１４ｃはスライダに設けられた突起部である。図に示すように、スライダ１４の突起部１４ｃとトッププレート６（ディスク装置の一部）との間に隙間σがある状態の場合、すなわちスライダ１４の反りのばらつき等によりスライダ１４ががたつきのある状態でトレイ２に載置されている場合、トレイ２の振動はスライダ１４に伝達されてスライダ１４を振動させてしまうという問題点があった。
【００１２】
初めに、図１、図３を用いて本発明の要点を説明する。
図１は本発明によるトレイとスライダの構成の一実施例を示す断面図であり、図３はトレイとスライダの斜視図である。図１は図３のＡ−Ａ断面図である。
図３において、２はトレイ、１４はスライダであり、このスライダ１４には庇状部１４ａ、１４ｂが一体に設けられ、下面には、図１に示すように下向き（トレイ方向）に延びる突起部１４ｇ、１４ｈ（図３中点線で示す）、１４ｉが一体で設けられている。また、上面には後述するトッププレート６（図１参照）と僅かな間隔を有して突起部１４ｃが設けられている。１５はねじりばねである。
【００１３】
図３で示す構成において、スライダ１４はトレイ２に対して図３の矢印Ｂまたは矢印Ｃ方向へ自在に移動され、通常ねじりばね１５によって矢印Ｂ方向へ付勢され、ストッパ（図示せず）により図３に示す位置に静止している。
【００１４】
図３のディスク装置のトレイ２に、図４に示すようにディスク１ａを装着し、トレイ２を垂直に立てた状態で使用しても、ディスク１ａは庇状部１４ａ、１４ｂによってトレイ２から脱落するのを防止される。また、図５に示すように、同一のトレイ２にカートリッジ１３を装着する場合、カートリッジ１３を挿入力で図３の矢印Ｃ方向に押すことによって、カートリッジ１３をターンテーブル７ａに装着することができる。
ところで、このようなスライダ１４が取り付けられた状態において、面振れディスクまたは偏重心ディスクが高速回転された場合、後述するようにトレイ２が振動し、この振動がスライダ１４に伝達される。
【００１５】
スライダ１４に振動が伝達されるのを防止するために、図１に示す実施例では、スライダ１４の裏面に設けた突起部１４ｇ、１４ｈ、１４ｉでトレイ２に対するスライダ１４の載置を安定にしている。すなわち、スライダ１４を３点支持でトレイ２に支持することにより、トレイ２に振動があってもスライダ１４にはその振動が伝達されないようにして振動発生を所定量以下に制御している。その結果、騒音も所定値以下に抑えられる。
なお、本実施例において、突起部１４ｇ、１４ｈ、１４ｉはトレイ２に設けてもよい。
【００１６】
以下、図４及び図５を用いて本発明の実施例について詳細に説明する。
図４は本発明によるディスク装置にディスクを装着する場合の一実施例を示す側面図であり、図４（ａ）はディスクをディスク装置に装着（ローディング）する初期の状態を示す側面図、図４（ｂ）はディスクをディスク装置に装着した状態を示す側面図である。
【００１７】
図４において、１ａはディスク、２はトレイ、３はディスク装置を構成するフロントパネル、４はフレーム、５はメカベースである。６はトッププレートでありメカベース５にねじ止めされる。７はディスクモータであり、回転軸（図示せず）にターンテーブル７ａが固定される。８はクランパである。ディスク装置の回転駆動部はクランパ８、ディスクモータ７及びターンテーブル７ａで構成される。なお、９は検出器、１０は対物レンズ、１１はガイドシャフト、１２はメカシャーシである。このメカシャーシ１２に検出器９およびディスクモータ７が保持されている。
【００１８】
図５は本発明によるディスク装置にカートリッジを装着する場合の一実施例を示す側面図であり、図５（ａ）はカートリッジをディスク装置に装着（ローディング）する初期の状態を示す側面図、図５（ｂ）はカートリッジをディスク装置に装着した状態を示す側面図である。
図５において、１３はカートリッジであって、その内部には上記ディスク１ａと同一外形寸法のディスク１ｂが収納されている。その他の構成は図４と同一であるため、その説明を省略する。
【００１９】
なお、上述したように、図４はディスクローディング形態を示す説明図、図５はカートリッジローディング形態を示す説明図であって、それぞれ（ａ）はローディング初期の状態、（ｂ）はローディング完の状態を示している。この構成においてディスク１ａを装着する場合は図４（ａ）で示すトレイ２の所定位置にディスク１ａを装着し、カートリッジ１３を装着する場合は図５（ａ）で示す所定位置にカートリッジ１３を装着する。
【００２０】
そして各々のディスク１ａ、１ｂを記録再生する場合は、トレイ２に対してディスク１ａまたはカートリッジ１３を選択的に装着した後、ローディング機構（図示せず）を駆動させ、トレイ２を図４（ｂ）、図５（ｂ）で示す所定位置まで引き込むと共に、メカシャーシ１２を上昇させてターンテーブル７ａとクランパ８との間にディスク１を挟み込み、この状態でディスクモータ７でディスク１ａ又は１ｂを回転させる。検出器９はディスク１ａ又は１ｂから反射された光を検出して周知のフォーカス、トラッキング、タンジェンシャル制御を行い、対物レンズ１０を介して絞り込まれた光ビームをディスク１ａ、１ｂの記録部に向かって照射することでディスク１ａ、１ｂへの情報信号の記録再生が行われる。
【００２１】
このようにして記録再生が行われる状態において取り扱われるディスクが規格内であれば問題ないが、高温放置などによりディスクの反りが規格値以上となってしまった面振れ量の大きいディスク（以下面振れディスクと称す）や、ディスク製造上のバラ付きによりディスク重心と回転中心とのずれが異常に大きくなってしまったディスク（以下、偏重心ディスクと称す）が搭載され、これらのディスクが高速回転される場合は、ディスクの中心と回転駆動部の回転中心との偏りが高速回転により増幅されてディスク装置を大きく振動させる。その振動の周波数がディスク装置固有の周波数と略一致するとそこに共振が発生して異常音を発生させる。
【００２２】
特に上記のようにディスク１ａとカートリッジ１３を選択的に装着することができるように構成されたディスク装置においては、収納スペースの観点からトレイ２は薄肉となる。このため、上記のメカニズムにより発生した振動は図４、図５のメカシャーシ１２、メカベース５を介してトレイ２に伝達され、薄肉化によって振動が発生し易くなったトレイ２を振動させる。また、上記の共振によってトレイ２が共振音を発生してしまうという問題も生じる。また、このトレイ２にはスライダ１４が搭載されているので、トレイ２の振動はスライダ１４に伝達されてスライダ１４からも異常音が発生する。
【００２３】
この問題点を解決するために、本実施例では、図１に示すように、スライダ１４に突起部１４ｇ、１４ｈ、１４ｉを設けてスライダ姿勢を安定化し、トレイ２に振動が発生してもスライダ１４には伝達しないようにして振動または騒音を防止している。
【００２４】
次に図６、図７を用いてスライダ１４の振動を低減する他の実施例について説明する。
図６は本発明によるディスク装置の他の実施例を示す断面図である。
図６に示すディスク装置は、図１で示す構成に比べ下向きの突起部１４ｇ、１４ｈ、１４ｉを設ける代わりに、スライダ１４に上向きに撓み部１４ｊを設けた構成となっている。しかもこの撓み部１４ｊを用いて突起部１４ｃ（振動防止部）をトッププレート６（ディスク装置の一部）に接触させるようにしている。このような構成とすることによりトレイ２が振動してもスライダ１４はロックされた状態となって所定量以上は振動しない。その結果、異常音が発生することはない。
【００２５】
次に、図７を用いて、突起部１４ｃの幾つかの実施例について説明する。
図７（ａ）〜図７（ｃ）は図１または図６の突起部を矢印Ｄ方向から見た図である。
図７（ａ）に示す突起部１４ｃには穴１４ｄが設けられており、突起部１４ｃ先端は撓むことができるため、みを設けた構成を示しトッププレート６と弾性的に接触することができる。
【００２６】
図７（ｂ）で示す突起部１４ｃはさらに突起部１４ｃ先端に撓みを持たせるために、図７（ａ）で示す突起部１４ｃの頂部近傍の穴の一部を切り欠くと共に突起部１４ｃの先端に引っ掛かり防止の丸み１４ｅを設けた構成となっている。従って、トッププレート６とより撓みを持たせて接触させることができる。
【００２７】
図７（ｃ）に示す突起部１４ｃにおいては突起部１４ｃの頂部にゴム等からなる弾性部材１４ｆが埋め込まれた構成となっている。従って、この弾性部材１４ｆの弾性力で突起部１４ｆとトッププレート６（図６で示す）を接触させることができる。
【００２８】
図７（ａ）〜図７（ｂ）に示す突起部１４ｃを設けることによって、図６で示すようにスライダ１４に撓み部１４ｊを設けてスライダ１４自体を撓ませる必要はない。又、図１に示すように突起部１４ｇ〜１４ｉを設けてスライダ１４をトレイ２に安定に載置して、トレイ２に振動が発生してもスライダ１４には伝達しないようにする必要もない。
【００２９】
即ち、図７（ａ）〜図７（ｂ）に示す突起部１４ｃにおいては、突起部１４ｃ自体に撓みが設けられているので、この撓みによって突起部先端をトッププレート６（図１または図６参照）に接触せしめ、これによりスライダ１４の振動を低減する構成であり、基本的に突起部１４ｃとトッププレート６を接触させる構成であるため図１または図６で示す構成と同様の作用効果を得ることができる。
【００３０】
次に、図３に示されている突起部２ａの作用について説明する。
図３において、トレイ２の側壁には上向きに凸の突起部２ａが設けられている。また、この拡大図は図４（ｂ）に示されている。図４（ｂ）に示すように、突起部２ａをトッププレート６を常時接触させておくことによって、上述した面振れディスクまたは偏重心ディスクが高速回転され、トレイ２に振動が発生してもトレイ２はロック状態となっているためにトレイ振動を所定値以下に押さえることができる。
【００３１】
以上述べたように、本発明によれば、トレイに載置されているスライダに振動防止部を設けると共に、振動防止部が面振れディスクまたは偏重心ディスクを高速回転させたときに発生するスライダ振動を所定値以下に制御する構成としたので、同一のトレイにディスクとカートリッジを選択的に装着するタイプのディスク装置において、問題なく振動低減が可能で信頼性の高いディスク装置を提供できる。
【００３２】
【発明の効果】
以上述べたように、同一のトレイにディスクとカートリッジを選択的に装着するタイプのディスク装置の振動を低減してディスク装置の信頼性を高めることができる。
【図面の簡単な説明】
【図１】本発明によるトレイとスライダの構成の一実施例を示す断面図である。
【図２】従来のスライダとトレイの構成を示す断面図である。
【図３】トレイとスライダの斜視図である。
【図４】本発明によるディスク装置にディスクを装着する場合の一実施例を示す側面図である。
【図５】本発明によるディスク装置にカートリッジを装着する場合の一実施例を示す側面図である。
【図６】本発明によるディスク装置の他の実施例を示す断面図である。
【図７】図１または図６の突起部を矢印Ｄ方向から見た図である。
【符号の説明】
１ａ、１ｂ…ディスク、２…トレイ、１３…カートリッジ、１４…スライダ、２ａ、１４ｃ、１４ｇ、１４ｈ、１４ｉ…突起部。
【図１】
0003660840.tif 000002
【図２】
0003660840.tif 000003
【図３】
0003660840.tif 000004
【図４】
0003660840.tif 000005
【図５】
0003660840.tif 000006
【図６】
0003660840.tif 000007
【図７】
0003660840.tif 000008